(57)【要約】【課題】  簡単な操作で、かつ少ないメモリ使用量で、再生中の動画からユーザが所望するシーンの静止画だけを正確にキャプチャすることができる静止画キャプチャ装置を提供する。【解決手段】  ＣＰＵ１５は、動画を通常モードで再生中に、キャプチャボタン検出部１２により、キャプチャボタンが押下されていることが検出されている間の動画再生方法を、通常の再生方法からユーザが静止画のキャプチャを実行し易い再生方法（予めキャプチャ再生モード設定管理部１３に設定されている）へと変更し、このボタンが解放された時に、静止画のキャプチャ処理部１６に静止画のキャプチャを実行させるように制御する。これにより、キャプチャボタンに対する１アクションの操作により、再生中の動画からユーザが所望するシーンの静止画だけをキャプチャすることが容易に可能となる。【選択図】  図１
2006140901.tif 000002
【特許請求の範囲】
【請求項１】
動画を静止画にキャプチャする際に操作するための切り換えスイッチを備えて動画再生処理と静止画キャプチャ処理とを行う静止画キャプチャ装置であって、
前記切り換えスイッチの状態が切り換えられたことを検知するためのスイッチ状態検出手段と、
前記切り換えスイッチの状態が切り換えられた時に、動画再生モードを通常再生モードからキャプチャ再生モードへと変更する動画再生モード変更手段と、
前記動画再生モード変更手段で設定された再生モードでの動画再生を行う動画再生手段と、
前記切り換えスイッチの状態が再び切り換えられて元の状態に復帰した時に、静止画キャプチャ処理を実行するキャプチャ実行手段と、
を備えたことを特徴とする静止画キャプチャ装置。
【請求項２】
ユーザが所望する動画再生方法の設定が行えるキャプチャ再生モード設定管理手段を備え、前記キャプチャ再生モード時における動画再生処理を、前記キャプチャ再生モード設定管理手段により設定されたユーザが所望する動画再生方法により実行することを特徴とする請求項１に記載の静止画キャプチャ装置。
【請求項３】
前記切り換えスイッチは押しボタン式スイッチで構成され、前記スイッチ状態検出手段は、前記押しボタン式スイッチが押下されている状態を検知し、前記動画再生モード変更手段は、前記スイッチ状態検出手段が検知する前記押しボタン式スイッチの押下継続期間において、動画再生モードを通常再生モードからキャプチャ再生モードへと変更すると共に、前記キャプチャ再生モードを維持し、前記キャプチャ実行手段は、前記スイッチ状態検出手段が検知する前記押しボタン式スイッチの押下状態の終了時点で、前記静止画キャプチャ処理を実行することを特徴とする請求項１または請求項２記載の静止画キャプチャ装置。
【請求項４】
前記動画再生モード変更手段は、前記静止画キャプチャ処理の実行後に、動画再生モードを通常再生モードに切り換えることを特徴とする請求項１から請求項３のいずれか１項に記載の静止画キャプチャ装置。
【請求項５】
前記押しボタン式スイッチは、機械式の切り換えスイッチまたは感圧ダイオードを使用した切り換えスイッチにより構成されていることを特徴とする請求項３または請求項４に記載の静止画キャプチャ装置。
【請求項６】
動画を静止画にキャプチャする際に操作するための切り換えスイッチを備えて動画再生処理と静止画キャプチャ処理とを行う静止画キャプチャ装置の制御方法であって、
前記切り換えスイッチの状態が切り換えられたことを検知するためのスイッチ状態検出ステップと、
前記切り換えスイッチの状態が切り換えられた時に、動画再生モードを通常再生モードからキャプチャ再生モードへと変更する動画再生モード変更ステップと、
前記切り換えスイッチの状態が再び切り換えられて元の状態に復帰した時に、静止画キャプチャ処理を実行するキャプチャ実行ステップと、
を備えることを特徴とする静止画キャプチャ装置の制御方法。
【発明の詳細な説明】
【技術分野】
【０００１】
本発明は、動画再生及び静止画キャプチャが可能な静止画キャプチャ装置、及び静止画キャプチャ装置の制御方法に関する。
【背景技術】
【０００２】
従来の静止画キャプチャ装置及びその制御方法では、動画から静止画をキャプチャする場合、ユーザが所望している静止画のキャプチャを、如何に正確に行うことができるかが課題とされている。
【０００３】
このような課題を解決する手法としては、予め動画の再生方法をスローモーション再生やコマ送り再生に設定しておき、ユーザが所望のシーンを選択して動画再生を一時停止させた後に、当該シーンの静止画キャプチャを行う手法が知られている。
【０００４】
また、例えば、特許文献１（特開平１１−９８４５２号公報）、及び特許文献２（特開２００１−５４０５３号公報）には、動画再生中にユーザが所望のシーンのキャプチャを行う際、自動的に予め該当シーンの前後を静止画として保存しておく手法が開示されている。
【特許文献１】特開平１１−９８４５２号公報
【特許文献２】特開２００１−５４０５３号公報
【発明の開示】
【発明が解決しようとする課題】
【０００５】
しかしながら、上記背景技術で述べた従来の静止画キャプチャ装置及びその制御方法にあっては、前述のとおり、動画から静止画をキャプチャする場合、ユーザが所望している静止画のキャプチャを、如何に正確に行うことができるかが課題であったが、この課題に対して満足できる解決手法が与えられていないという問題点があった。
【０００６】
この問題点を解決することを意図した前述の従来手法、即ち、予め動画の再生方法をスローモーション再生やコマ送り再生に設定しておき、ユーザが所望のシーンを選択し、動画再生を一時停止させた後に、当該シーンの静止画キャプチャを行う手法では、ユーザによる操作が複数ステップ必要であり、よって、操作が煩雑となる。
【０００７】
なお、この問題点を解決することを意図した前述の特許文献１及び特許文献２に開示の手法では、前述の所望のシーンのみをキャプチャして保持しておく方法に比べると、複数の静止画を保持することが必要であるため、静止画保持用のメモリのメモリ量を多くする必要がある。
【０００８】
本発明は、上記従来の問題点に鑑みてなされたものであって、簡単な操作で、かつ少ないメモリ使用量で、再生中の動画からユーザが所望するシーンの静止画をキャプチャすることが可能な静止画キャプチャ装置を提供することを目的としている。
【０００９】
本発明の他の目的は、簡単な操作で、かつ少ないメモリ使用量で、再生中の動画からユーザが所望するシーンの静止画だけを正確にキャプチャすることができる静止画キャプチャ装置の制御方法を提供することにある。
【課題を解決するための手段】
【００１０】
上記課題を解決するために、本発明に係る静止画キャプチャ装置は、以下の特徴を備えている。
【００１１】
本発明に係る静止画キャプチャ装置は、動画を静止画にキャプチャする際に操作するための切り換えスイッチを備えて動画再生処理と静止画キャプチャ処理とを行う静止画キャプチャ装置であって、前記切り換えスイッチの状態が切り換えられたことを検知するためのスイッチ状態検出手段と、前記切り換えスイッチの状態が切り換えられた時に、動画再生モードを通常再生モードからキャプチャ再生モードへと変更する動画再生モード変更手段と、前記動画再生モード変更手段で設定された再生モードでの動画再生を行う動画再生手段と、前記切り換えスイッチの状態が再び切り換えられて元の状態に復帰した時に、静止画キャプチャ処理を実行するキャプチャ実行手段と、を備えたことを特徴とする。
【００１２】
ここで、前記静止画キャプチャ装置は、ユーザが所望する動画再生方法の設定が行えるキャプチャ再生モード設定管理手段を備え、前記キャプチャ再生モード時における動画再生処理を、前記キャプチャ再生モード設定管理手段により設定されたユーザが所望する動画再生方法により実行することを特徴とする。
【００１３】
また、前記切り換えスイッチは押しボタン式スイッチで構成され、前記スイッチ状態検出手段は、前記押しボタン式スイッチが押下されている状態を検知し、前記動画再生モード変更手段は、前記スイッチ状態検出手段が検知する前記押しボタン式スイッチの押下継続期間において、動画再生モードを通常再生モードからキャプチャ再生モードへと変更すると共に、前記キャプチャ再生モードを維持し、前記キャプチャ実行手段は、前記スイッチ状態検出手段が検知する前記押しボタン式スイッチの押下状態の終了時点で、前記静止画キャプチャ処理を実行することを特徴とする。
【００１４】
また、前記動画再生モード変更手段は、前記静止画キャプチャ処理の実行後に、動画再生モードを通常再生モードに切り換えることを特徴とする。
【００１５】
さらに、前記押しボタン式スイッチは、機械式の切り換えスイッチまたは感圧ダイオードを使用した切り換えスイッチにより構成されていることを特徴とする。
【００１６】
また、本発明に係る静止画キャプチャ装置の制御方法は、動画を静止画にキャプチャする際に操作するための切り換えスイッチを備えて動画再生処理と静止画キャプチャ処理とを行う静止画キャプチャ装置の制御方法であって、前記切り換えスイッチの状態が切り換えられたことを検知するためのスイッチ状態検出ステップと、前記切り換えスイッチの状態が切り換えられた時に、動画再生モードを通常再生モードからキャプチャ再生モードへと変更する動画再生モード変更ステップと、前記切り換えスイッチの状態が再び切り換えられて元の状態に復帰した時に、静止画キャプチャ処理を実行するキャプチャ実行ステップとを有することを特徴とするものである。
〔作用〕
【００１７】
本発明に係る静止画キャプチャ装置及びその制御方法では、動画再生中にユーザの所望のシーンが近づいてきた時に、動画の再生方法をユーザが静止画キャプチャを実行し易い再生方法に変更することにより実現する。キャプチャボタンが押下された時に、動画再生方法を通常の再生方法からユーザが静止画のキャプチャを実行し易い再生方法（例えば、スローモーション再生やコマ送り再生等）へと自動的に変更すると共に、このボタン（キャプチャボタン）が押下されている間は、ユーザが静止画のキャプチャを実行し易い再生方法を継続する。その後、ユーザが、このボタンを解放した時点で静止画のキャプチャを実行することにより、ユーザが所望するシーンの静止画キャプチャを正確に実行するので、動画の正確なキャプチャがユーザの思いどおりに可能となる。
【００１８】
即ち、本発明に係る静止画キャプチャ装置及びその制御方法によれば、キャプチャボタンが押下されている間は、再生方法を通常の再生方法からユーザが静止画のキャプチャを実行し易い再生方法へと自動的に変更し、その後、ユーザが該キャプチャボタンを解放した時に静止画のキャプチャを実行する。これにより、複雑な操作を必要とせず、１つのボタンを押して放すといった１アクションにより、再生中の動画から所望のシーンの静止画だけをキャプチャすることが可能となるので、メモリ使用量を増やすことなく、また、簡単な操作で静止画キャプチャの正確な実行が可能となる。よって、特に、操作の簡便さが要求される装置、例えば、動画再生機能と静止画キャプチャ機能とを備えた携帯電話、携帯情報端末等に適用して顕著な効果がある。
【発明の効果】
【００１９】
以上説明したように、本発明の静止画キャプチャ装置及びその制御方法によれば、複雑な操作を必要とせず、１つのボタンを押して放すといった１アクションにより、再生中の動画からユーザが所望するシーンの静止画だけを正確にキャプチャすることが可能となる効果がある。
【００２０】
また、静止画キャプチャを行う度に、複数枚の静止画（該当シーンの前後）を記憶させる必要が無いので、メモリの使用量を増やすことなく、再生中の動画から、ユーザが所望するシーンの静止画だけを、思いどおりにキャプチャすることが可能となる効果がある。
【発明を実施するための最良の形態】
【００２１】
以下、本発明の静止画キャプチャ装置及びその制御方法の最良の実施形態について、図面を参照して詳細に説明する。
【００２２】
図１は、本発明の実施形態に係る静止画キャプチャ装置の全体構成を示す構成図である。
【００２３】
同図に示す静止画キャプチャ装置１０は、動画の再生方法を変更する動画再生方法制御部１１（動画再生モード変更手段）と、キャプチャボタン（押しボタン式スイッチ）の押下を検出するキャプチャボタン検出部１２（スイッチ状態検出手段）と、キャプチャ再生モード時における動画再生方法を予め設定しているキャプチャ再生モード設定管理部１３と、動画の再生・表示処理を制御する動画再生処理部１４（動画再生手段）と、全体を制御するＣＰＵ１５と、表示画像をキャプチャして保存する静止画キャプチャ処理部１６（キャプチャ実行手段）と、動画を表示するＬＣＤ制御部１７とを備えて構成される。
【００２４】
なお、図示しない前記キャプチャボタンは、機械式の切り換えボタンや、感圧ダイオード等を使用した切り換えボタンで構成することができる。
【００２５】
以下、本発明の実施形態に係る静止画キャプチャ装置の動作を説明する。
【００２６】
静止画キャプチャ装置１０のＣＰＵ１５は、キャプチャボタン検出部１２によりキャプチャボタン（図示は省略）が押下されたことを検出する。
【００２７】
これにより、動画再生方法制御部１１が、キャプチャ再生モード設定管理部１３において管理されているユーザが予め設定したキャプチャ再生モード時における動画再生方法に従った動画再生になるように動画再生処理部１４を制御して動画の再生方法を変更する。
【００２８】
この制御を受けて、動画再生処理部１４は、ＬＣＤ制御部１７を介して液晶表示部（図示は省略）に動画を表示する。
【００２９】
その後、ＣＰＵ１５は、キャプチャボタン検出部１２によりキャプチャボタンが解放されたことを検出すると、静止画キャプチャ処理部１６が、その時点において前記液晶表示部に表示されている画像をキャプチャし、これを保存する。
【００３０】
図２は、本発明の実施形態に係る静止画キャプチャ装置の画像撮影時の処理を示すフローチャートである。
【００３１】
以下、図１を参照しながら、図２に示すフローチャートを使用して、静止画キャプチャ装置１０における静止画キャプチャの処理について説明する。
【００３２】
まず、ＣＰＵ１５は、動画再生（通常モード）を実行する（ステップＳ１）。
【００３３】
この間、ＣＰＵ１５は、キャプチャボタンが押下されたか否かを検証し（ステップＳ２）、キャプチャボタンが押下された場合（ステップＳ２；ＹＥＳ）はステップＳ３に進み、キャプチャボタンが押下されていない場合（ステップＳ２；ＮＯ）はステップＳ８にて動画再生（通常モード）の実行を継続する。
【００３４】
ステップＳ３では、動画再生方法制御部１１が、キャプチャ再生モード設定管理部１３において管理されている再生方法（ユーザが予め設定しておいた再生方法）に基づく動画再生方法が実現されるように動画再生処理部１４の制御を変更する。
【００３５】
次に、ＣＰＵ１５は、動画再生（キャプチャ再生モード）を実行する（ステップＳ４）。
【００３６】
この間、ＣＰＵ１５は、キャプチャボタン検出部１２が、動画再生（キャプチャ再生モード）中に、キャプチャボタンの解放を検出したか否かを検証し（ステップＳ５）、キャプチャボタンの解放が検出されると（ステップＳ５；ＹＥＳ）ステップＳ６に進み、キャプチャボタンの解放が検出されない（ステップＳ５；ＮＯ）と、ステップＳ４に戻って動画再生（キャプチャ再生モード）を継続する。
【００３７】
ステップＳ６では、静止画キャプチャ処理部１６が、表示中の画像のキャプチャを実行して静止画を保存する。
【００３８】
次に、動画再生方法制御部１１が、動画再生処理部１４の制御を変更して通常の動画再生方法に戻し（ステップ７）、その後、ＣＰＵ１５は、動画再生（通常モード）の実行を継続する（ステップＳ８）。
【００３９】
なお、図２において、ステップＳ１と、ステップＳ８は、どちらも同じ状態であり、即ち、動画再生（通常モード）の実行状態である。
【００４０】
本実施形態に係る静止画キャプチャ装置によれば、キャプチャボタンが押下されている間、動画再生方法を通常の再生方法からユーザが静止画のキャプチャを実行しやすい再生方法（例えば、スローモーション再生やコマ送り再生等）へ変更し、その後、ユーザが該キャプチャボタンを解放した時に静止画のキャプチャを実行することが可能となる。即ち、複雑な操作を必要とせず、１つのボタンを押して放すといった１アクションにより、再生中の動画から所望のシーンの静止画をキャプチャすることが可能となる。
【００４１】
なお、本実施形態に係る静止画キャプチャ装置では、キャプチャボタンとして、押しボタン式スイッチを使用したが、本発明では、一般に、キャプチャボタンとして、手で操作できる任意のスイッチの使用が可能である。特に、レバー式スイッチや、スナップピン式スイッチの使用が可能である。
【００４２】
なお、本発明に係る静止画キャプチャ装置１０の各構成要素の処理の少なくとも一部をコンピュータ制御により実行するものとし、かつ、上記処理を、少なくとも図２のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【図面の簡単な説明】
【００４３】
【図１】本発明の実施形態に係る静止画キャプチャ装置の全体構成を示す構成図である。
【図２】本発明の実施形態に係る静止画キャプチャ装置の画像撮影時の処理を示すフローチャートである。
【符号の説明】
【００４４】
１０  静止画キャプチャ装置（本発明の静止画キャプチャ装置）
１１  動画再生方法制御部
１２  キャプチャボタン検出部
１３  キャプチャ再生モード設定管理部
１４  動画再生処理部
１５  ＣＰＵ
１６  静止画キャプチャ処理部
１７  ＬＣＤ制御部
【図１】
2006140901.tif 000003
【図２】
2006140901.tif 000004